(57)【特許請求の範囲】
【請求項１】
テキストデータからなる文字領域部と画像データからなる画像部を有する複数ページの文書データをプレビュー表示可能な表示手段と、
プレビュー表示された何れかのページの文書データにおける前記画像部を、ユーザの操作に基づいて選択する画像部選択手段と、
前記画像部選択手段により選択された画像部の移動先のページを、ユーザの操作に基づいて選択するページ選択手段と、
前記画像部選択手段により選択された画像部を、前記ページ選択手段により選択された前記移動先のページの文書データに移動させるとともに、移動した画像部と重ならないように、前記移動先のページの文書データにおける文字領域部のテキストデータの配列を再構築する再構築手段と、
前記再構築手段によりテキストデータの配列が再構築された前記移動先のページの文書データを前記表示手段にプレビュー表示させる制御手段と、
を備えたことを特徴とする画像形成装置。
【請求項２】
前記制御手段は、前記プレビュー表示の終了により前記移動した画像部を移動元のページの文書データに復帰させ、かつ移動先のページの文書データを再構築前の状態に復帰させる請求項１に記載の画像形成装置。
【請求項３】
前記ページ選択手段における前記ユーザの操作は、前記画像部選択手段でユーザが選択した画像部を移動先のページを指定する領域にドラッグする操作である請求項１または２に記載の画像形成装置。
【請求項４】
前記ページ選択手段における前記ユーザの操作は、前記画像部選択手段で画像部が選択された後に、移動先のページを指定する操作である請求項１または２に記載の画像形成装置。
【請求項５】
原稿の画像を読み取って電子データである画像データに変換する画像読取手段と、
前記画像読取手段により読み取られた原稿の画像データから、文字領域部と画像部を判別する領域判別手段と、
前記領域判別手段により判別された文字領域部を文字認識処理によりテキストデータに変換する文字認識手段と、
を備え、
前記領域判別手段により判別された画像部と、文字認識手段によりテキストデータに変換された文字領域部とによって、前記文書データが構成されている請求項１〜４のいずれかに記載の画像形成装置。
【請求項６】
テキストデータからなる文字領域部と画像データからなる画像部を有する複数ページの文書データをプレビュー表示可能な表示手段を備えた画像形成装置において実施される文書データのプレビュー表示方法であって、
前記表示手段にプレビュー表示された何れかのページの文書データにおける前記画像部を、ユーザの操作に基づいて選択する画像部選択ステップと、
前記画像部選択ステップにおいて選択された画像部の移動先のページを、ユーザの操作に基づいて選択するページ選択ステップと、
前記画像部選択ステップにおいて選択された画像部を、前記ページ選択ステップにおいて選択された前記移動先のページの文書データに移動させるとともに、移動した画像部と重ならないように、前記移動先のページの文書データにおける文字領域部のテキストデータの配列を再構築する再構築ステップと、
前記再構築ステップにおいてテキストデータの配列が再構築された前記移動先のページの文書データを前記表示手段にプレビュー表示させる制御ステップと、
を備えたことを特徴とする画像形成装置における文書データのプレビュー表示方法。
【請求項７】
前記制御ステップでは、プレビュー表示の終了により前記移動した画像部を移動元のページの文書データに復帰させ、かつ移動先のページの文書データを再構築前の状態に復帰させる請求項６に記載の画像形成装置における文書データのプレビュー表示方法。
【請求項８】
前記ページ選択ステップにおける前記ユーザの操作は、前記画像部選択ステップにおいてユーザが選択した画像部を移動先のページを指定する領域にドラッグする操作である請求項６または７に記載の画像形成装置における文書データのプレビュー表示方法。
【請求項９】
前記ページ選択ステップにおける前記ユーザの操作は、前記画像部選択ステップにおいて画像部が選択された後に、移動先のページを指定する操作である請求項６または７に記載の画像形成装置における文書データのプレビュー表示方法。
【請求項１０】
原稿の画像を読み取って電子データである画像データに変換する画像読取ステップと、
前記画像読取ステップにおいて読み取られた原稿の画像データから、文字領域部と画像部を判別する領域判別ステップと、
前記領域判別ステップにおいて判別された文字領域部を文字認識処理によりテキストデータに変換する文字認識ステップと、
を備え、
前記領域判別ステップにおいて判別された画像部と、文字認識ステップにおいてテキストデータに変換された文字領域部とが合成されて、前記文書データが構成されている請求項６〜９のいずれかに記載の画像形成装置における文書データのプレビュー表示方法。
【発明の詳細な説明】
【技術分野】
【０００１】
この発明は、多機能デジタル複合機であるＭＦＰ（Multi Function Peripherals) 等の画像形成装置、及び同装置における文書データのプレビュー表示方法に関する。
【背景技術】
【０００２】
例えば上述したＭＦＰとして、原稿をスキャンして読み取った画像データをプレビュー画像として表示部に表示し、ページの向きや順序を確認し、間違いがある場合には、ページ毎の入れ替えやページの回転等をパネル上で行なうことができるものが、従来より知られている。
【０００３】
また、原稿をスキャンして読み取った画像データ上の文字領域部とグラフ、表、写真等の画像部を判別し、領域分離を行い、文字領域部については文字認識処理機能によりテキストデータに変換すると共に、このテキストデータからなる文字領域部と、画像データのままの画像部とを各ページ毎に合成して、複数ページの文書データを作成し、この文書データを１ページあるいは複数ページ毎に表示部にプレビュー表示するＭＦＰも知られている。
【０００４】
ところで、このような文書データとして、１つのページに写真等の画像部が存在し、その説明文としてテキストデータが次ページまでわたって存在している場合がある。また、この文書データをＭＦＰの表示画面にページ順にプレビュー表示し、説明文を次ページまで読み進めるうちに、前ページの画像部の図形や写真等を参照したい場合がある。
【０００５】
この場合、従来では、プレビュー画像を前ページの文書データに戻して画像部を確認し、確認後に再度次ページの文書データをプレビュー表示させるといった操作が行われていた。
【０００６】
なお、特許文献１には、画像やグラフィックス等のオブジェクトをページ間が連続しないページレイアウトで表示させ、オブジェクト内の改ページ座標を検出し、オブジェクトを改ページ座標で分割してそれぞれのページに配置することにより、ページをまたがりレイアウト変更して編集する画像処理装置が開示されている。
【０００７】
特許文献２には、改ページの指定または改ページ指定の削除指定を指示するだけで、文書データとは独立して管理される固定のブロック枠を文書データの編集に並行して所定のページに選択的に移動配置でき、入力される文書画像データを効率よくページ編集できる画像処理装置が開示されている。
【先行技術文献】
【特許文献】
【０００８】
【特許文献１】特開２０１０−２８６９０４号公報
【特許文献２】特開昭６３−０５９６５４号公報
【発明の概要】
【発明が解決しようとする課題】
【０００９】
しかし、前ページの画像部の確認のためにプレビュー表示を前ページの文書データに戻し、確認後に再度次ページの文書データをプレビュー表示させるといった操作を行うのは、非常に煩わしいという問題があった。
【００１０】
なお、前述の特許文献１及び２に記載の技術は、ページのレイアウトを変更したり、画像データの移動を行うことができるものの、複数ページのプレビュー画像を切り替えて表示する場合に、他ページの画像部の図形や写真等を参照する場合に生じる前記問題の解決策を提供しうるものではなかった。
【００１１】
この発明は、上記実情に鑑みてなされたものであり、複数ページの文書データをページを切り替えてプレビュー表示する場合に、他ページの文書データにおける画像部の写真等を参照するために他ページの文書データをプレビュー表示させ、画像部の確認後に再度元のページの文書データをプレビュー表示させるといった煩雑な操作を不要にできる画像形成装置、及び該装置における文書データのプレビュー表示方法を提供することを課題とする。
【課題を解決するための手段】
【００１２】
上記課題は、以下の手段によって解決される。
（１）テキストデータからなる文字領域部と画像データからなる画像部を有する複数ページの文書データをプレビュー表示可能な表示手段と、プレビュー表示された何れかのページの文書データにおける前記画像部を、ユーザの操作に基づいて選択する画像部選択手段と、前記画像部選択手段により選択された画像部の移動先のページを、ユーザの操作に基づいて選択するページ選択手段と、前記画像部選択手段により選択された画像部を、前記ページ選択手段により選択された前記移動先のページの文書データに移動させるとともに、移動した画像部と重ならないように、前記移動先のページの文書データにおける文字領域部のテキストデータの配列を再構築する再構築手段と、前記再構築手段によりテキストデータの配列が再構築された前記移動先のページの文書データを前記表示手段にプレビュー表示させる制御手段と、を備えたことを特徴とする画像形成装置。
（２）前記制御手段は、前記プレビュー表示の終了により前記移動した画像部を移動元のページの文書データに復帰させ、かつ移動先のページの文書データを再構築前の状態に復帰させる前項１に記載の画像形成装置。
（３）前記ページ選択手段における前記ユーザの操作は、前記画像部選択手段でユーザが選択した画像部を移動先のページを指定する領域にドラッグする操作である前項１または２に記載の画像形成装置。
（４）前記ページ選択手段における前記ユーザの操作は、前記画像部選択手段で画像部が選択された後に、移動先のページを指定する操作である前項１または２に記載の画像形成装置。
（５）原稿の画像を読み取って電子データである画像データに変換する画像読取手段と、前記画像読取手段により読み取られた原稿の画像データから、文字領域部と画像部を判別する領域判別手段と、前記領域判別手段により判別された文字領域部を文字認識処理によりテキストデータに変換する文字認識手段と、を備え、前記領域判別手段により判別された画像部と、文字認識手段によりテキストデータに変換された文字領域部とによって、前記文書データが構成されている前項１〜４のいずれかに記載の画像形成装置。
（６）テキストデータからなる文字領域部と画像データからなる画像部を有する複数ページの文書データをプレビュー表示可能な表示手段を備えた画像形成装置において実施される文書データのプレビュー表示方法であって、前記表示手段にプレビュー表示された何れかのページの文書データにおける前記画像部を、ユーザの操作に基づいて選択する画像部選択ステップと、前記画像部選択ステップにおいて選択された画像部の移動先のページを、ユーザの操作に基づいて選択するページ選択ステップと、前記画像部選択ステップにおいて選択された画像部を、前記ページ選択ステップにおいて選択された前記移動先のページの文書データに移動させるとともに、移動した画像部と重ならないように、前記移動先のページの文書データにおける文字領域部のテキストデータの配列を再構築する再構築ステップと、前記再構築ステップにおいてテキストデータの配列が再構築された前記移動先のページの文書データを前記表示手段にプレビュー表示させる制御ステップと、を備えたことを特徴とする画像形成装置における文書データのプレビュー表示方法。
（７）前記制御ステップでは、プレビュー表示の終了により前記移動した画像部を移動元のページの文書データに復帰させ、かつ移動先のページの文書データを再構築前の状態に復帰させる前項６に記載の画像形成装置における文書データのプレビュー表示方法。
（８）前記ページ選択ステップにおける前記ユーザの操作は、前記画像部選択ステップにおいてユーザが選択した画像部を移動先のページを指定する領域にドラッグする操作である前項６または７に記載の画像形成装置における文書データのプレビュー表示方法。
（９）前記ページ選択ステップにおける前記ユーザの操作は、前記画像部選択ステップにおいて画像部が選択された後に、移動先のページを指定する操作である前項６または７に記載の画像形成装置における文書データのプレビュー表示方法。
（１０）原稿の画像を読み取って電子データである画像データに変換する画像読取ステップと、前記画像読取ステップにおいて読み取られた原稿の画像データから、文字領域部と画像部を判別する領域判別ステップと、前記領域判別ステップにおいて判別された文字領域部を文字認識処理によりテキストデータに変換する文字認識ステップと、を備え、前記領域判別ステップにおいて判別された画像部と、文字認識ステップにおいてテキストデータに変換された文字領域部とが合成されて、前記文書データが構成されている前項６〜９のいずれかに記載の画像形成装置における文書データのプレビュー表示方法。
【発明の効果】
【００１３】
前項（１）または（６）に記載の発明によれば、テキストデータからなる文字領域部と画像データからなる画像部を有する複数ページの文書データのうち、表示手段にプレビュー表示された何れかのページの文書データにおける前記画像部が、ユーザの操作に基づいて選択されるとともに、選択された画像部の移動先のページが、ユーザの操作に基づいて選択される。そして、選択された画像部が移動先のページの文書データに移動するとともに、移動した画像部と重ならないように、前記移動先のページの文書データにおける文字領域部のテキストデータの配列が再構築され、表示手段にプレビュー表示される。
【００１４】
このように、何れかのページの図形や写真等の画像部を、ユーザが望むページの文書データに移動させて該文書データをプレビュー表示できるから、複数ページの文書データをページを切り替えてプレビュー表示する場合に、他ページの文書データの画像部の図形や写真等を参照するために他ページの文書データをプレビュー表示させ、画像部の確認後に再度元のページの文書データをプレビュー表示させるといった煩雑な操作は不要になる。
【００１５】
前項（２）または（７）に記載の発明によれば、プレビュー表示の終了により移動した画像部は移動元のページの文書データに復帰し、かつ移動先のページの文書データは再構築前の状態に復帰する。
【００１６】
前項（３）または（８）に記載の発明によれば、ユーザは選択した画像部を移動先のページを指定する領域にドラッグするだけの簡単な操作により、画像部を移動先に移動させることができる。
【００１７】
前項（４）または（９）に記載の発明によれば、ユーザは画像部の選択後に移動先のページを指定するだけの簡単な操作により、画像部を移動先に移動させることができる。
【００１９】
前項（５）または（１０）に記載の発明によれば、原稿の読み取りにより得られた画像データから、文字領域部と画像部が判別され、この判別された画像部と、文字認識によりテキストデータに変換された文字領域部とによって構成されている文書データに対して、プレビュー表示の際に、画像部を移動先のページの文書データに移動させたり、あるいは常に表示させることができる。
【図面の簡単な説明】
【００２０】
【図１】この発明の一実施形態に係る画像形成装置の外観斜視図である。
【図２】図１の画像形成装置が用いられたネットワークシステムの構成図である。
【図３】画像形成装置の電気的構成を示すブロック図である。
【図４】画像形成装置によって実行される文書データの作成保存処理を示すフローチャートである。
【図５】２ページからなる文書データの各ページの内容を示す図である。
【図６】ユーザの操作に基づいて、第１ページの文書データを操作パネルの表示部にプレビュー表示させたときの表示画面を示す図である。
【図７】図６の表示画面に表示されている第１ページの文書データのうち、画像部をタッチし「次ページ」キーへドラッグしている状態を示す図である。
【図８】次ページである第２ページの文書データが、第１ページの画像部を含む状態でプレビュー表示された画面を示す図である。
【図９】図８に示す画面において、「終了」キーが押下されされたときの遷移画面を示す図である。
【図１０】３ページからなる文書データの各ページの内容を示すものである。
【図１１】（Ａ）は、第１ページの文書データが操作パネルの表示部にプレビュー表示された表示画面において、第１ページの文書データのうち画像部をタッチして「次ページ」キーへドラッグしている状態を示す図、（Ｂ）は、第２ページの文書データが操作パネルの表示部にプレビュー表示された表示画面において、第１ページから移動された画像部をタッチして「次ページ」キーへドラッグしている状態を示す図である。
【図１２】この発明の他の実施形態を示すもので、第１ページの文書データがプレビュー表示されている表示画面において、画像部をタッチして「固定表示」キーへドラッグしている状態を示す図である。
【図１３】表示部５２の画面の上部ウィンドウにタッチアンドドラッグした第１ページの画像部が表示されている状態を示す図である。
【図１４】図１３の画面において、「次ページ」キーが押下されたときに遷移する画面を示す図である。
【図１５】上部ウィンドウに表示された画像部を拡大した状態を示す図である。
【図１６】文書データのプレビュー表示制御処理を示すフローチャートである。
【発明を実施するための形態】
【００２１】
以下、この発明の実施形態を図面に基づいて説明する。
【００２２】
図１は、この発明の一実施形態に係る画像形成装置１の外観斜視図である。この実施形態では、画像形成装置として前述のＭＦＰが用いられている。以下、画像形成装置をＭＦＰとも記す。
【００２３】
前記ＭＦＰ１は、装置本体２の上部に設けられた自動原稿搬送装置３と、スキャナユニット４と、操作パネル５と、画像形成部６と、給紙部７等を備えている。
【００２４】
自動原稿搬送装置３は、セットされた原稿を１枚ずつ読み取り位置へと自動的に搬送するものである。
【００２５】
スキャナユニット４は、自動原稿搬送装置３で搬送された原稿の画像を読み取るイメージセンサ等の画像読取部４１（図３に示す）を備え、該画像読取部４１により読み取られた原稿を電子データである画像データに変換する。
【００２６】
操作パネル５は、ユーザがＭＦＰ１を操作するためのものであり、テンキー、スタートキー、ストップキー等を有する操作部５１と、ユーザに対するメッセージやＭＦＰ１の状態等を表示するための、液晶タッチパネル等からなる表示部５２とを備えている。
【００２７】
画像形成部６は、前記スキャナユニット４で読み取られた原稿の画像データや、ユーザ端末等の外部装置からネットワークを介して送信されてきたプリントデータ等を、ユーザが指定したモードで印刷するものである。
【００２８】
給紙部７は、印刷用紙を収容するとともに、印刷時には前記画像形成部６に用紙を給紙するものである。
【００２９】
なお、画像形成部６で印刷された用紙は、排紙トレー８に排紙されるものとなされている。
【００３０】
図２は、図１のＭＦＰが用いられたネットワークシステムの構成図である。このネットワークシステムは、ＭＦＰ１と、パーソナルコンピュータからなる１台または複数台のユーザ端末１００やサーバ２００等が、ネットワーク３００を介して接続されてなる。
【００３１】
図３は、ＭＦＰ１の電気的構成を示すブロック図である。
【００３２】
図３に示すように、ＭＦＰ１は前述した自動原稿搬送装置３、画像読取部４１を備えたスキャナユニット４、操作部５１及び表示部５２を有する操作パネル５、画像形成部６、給紙部７のほか、制御ユニットとしてのメイン回路１０を備えている。
【００３３】
このメイン回路１０には、ＣＰＵ１１、ＲＯＭ１２、ＲＡＭ１３、ＥＥＰＲＯＭ１４、記憶部１５、ファクシミリ部１６、ネットワークインターフェース（ネットワークＩ／Ｆ）部１７、カードインターフェース（カードＩ／Ｆ）部１８が備えられている。
【００３４】
ＣＰＵ１１は、ＭＦＰ１の全体を統括的に制御するものであり、ＭＦＰ１が有するコピー機能、プリント機能、スキャン機能、ファクシミリ機能等の各種機能を実現する。さらに、この実施形態では、画像読取部４１で読み取られた複数ページの原稿の画像データから、ページ毎に文字領域部と画像部を判別分離するとともに、分離した文字領域部に対して文字認識処理（ＯＣＲともいう）を行ってテキストデータ化し、このテキストデータ化された文字領域部と画像データのままの画像部とを有する文書データを作成したり、作成された文書データをプレビュー表示する場合の表示制御等を行うが、詳細は後述する。
【００３５】
ＲＯＭ１２は、ＣＰＵ１１を動作させるための動作プログラムやその他のデータを記憶するメモリであり、ＲＡＭ１３は、ＣＰＵ１１がＲＯＭ１２に記憶されている動作プログラムを実行する際の作業領域を提供するメモリである。
【００３６】
ＥＥＰＲＯＭ１４は、例えばユーザ毎に設定されたコピー枚数等の課金情報や、現在までの使用枚数等のデータを書き換え可能に記憶する不揮発性メモリである。
【００３７】
記憶部１５は例えばハードディスク装置（ＨＤＤ）からなり、各種のアプリケーションやその他のデータを記憶するものである。この記憶部１５には、ボックスと称される１個または複数個の記憶領域が形成されており、各ボックスには画像データやプリントデータ等を保存可能となされている。ボックスの種類としては、例えば個人毎に割り当てられたプライベートボックス、部門等のグループに割り当てられたグループボックス、誰もがアクセス可能な共有ボックス等がある。
【００３８】
ファクシミリ部１６は、ファクシミリ送信及び受信を制御するものである。
【００３９】
ネットワークＩ／Ｆ部１７は、ユーザ端末１００やサーバ２００等の外部装置との間で、ネットワーク３００を介してデータの送受信を行うための通信部として機能する。
【００４０】
カードＩ／Ｆ部１８は、フラッシュメモリ２０等を接続するためのインターフェースである。
【００４１】
図４は、ＭＦＰ１によって実行される文書データの作成保存処理を示すフローチャートである。この処理は、ＭＦＰ１のＣＰＵ１１がＲＯＭ１２等の記録媒体に記録された動作プログラムに従って動作することにより実行される。
【００４２】
ステップＳ１では、スキャナユニット４を介して複数ページの原稿をスキャンすることにより各原稿の画像を読み取り、複数ページの画像データを取得する。
【００４３】
ステップＳ２では、各ページ毎に、文字領域部と写真、図形等の画像部とを判別し分離する。分離された文字領域部と写真、図形等の画像部については、高圧縮ＰＤＦ方式と同様に、オブジェクト毎に画像レイヤが作成される。
【００４４】
次に、ステップＳ３で、文字領域部にＯＣＲ処理を実施してテキストデータに変換する。
【００４５】
次いで、ステップＳ４で、各ページ毎に、テキストデータ化された文字領域部と画像データのままの画像部とを元の原稿と同じ配置になるように合成して、複数ページからなる文書データを作成すると共に、作成した文書データを記憶部１５等のメモリに保存する。
【００４６】
こうして作成保存された文書データを、操作パネル５の表示部５２にプレビュー表示する際の動作について説明する。
【００４７】
図５は、２ページからなる文書データＸ１、Ｘ２の各ページの内容を示すものである。これらの文書データの内容は、元の原稿の内容と同じであるので、図面では文書データを便宜上「原稿」と記している。ただし、原稿と異なり、テキストデータからなる文字領域部と画像データのままの画像部とは分離できると共に、文字領域部におけるテキストデータの配列変更も可能となっている。
【００４８】
図５に示す第１ページの文書データＸ１は、文字領域部Ｘ１１と画像部Ｘ１２とで構成されており、第２ページの文書データＸ２は、文字領域部Ｘ２１のみによって構成されている。
【００４９】
図６は、ユーザの操作に基づいて、第１ページの文書データＸ１を操作パネル５の表示部５２にプレビュー表示させたときの表示画面Ｄ１を示す。この画面Ｄ１では、文書データの他、「終了」キー、「プリント設定」キー、「固定表示」キー、「次ページ」キー、「前ページ」キーが表示されている。
【００５０】
「終了」キーは、プレビュー表示等を終了させるためのキーであり、「プリント設定」キーは、プレビュー表示されている文書データＸ１を印刷する際の印刷設定を行うためのキーである。また、「固定表示」キーはプレビュー表示されている文書データＸ１の中の画像部Ｘ１２を、固定的に表示させるためのキーであり、この点については後述する。「次ページ」キー、「前ページ」キーは、それぞれ次ページまたは前ページの文書データをプレビュー表示させるキーである。
【００５１】
図６の表示画面に表示されている第１ページの文書データＸ１のうち、ユーザが画像部Ｘ１２をタッチし、図７の矢印で示すように「次ページ」キーへドラッグすると、図８に示すように、表示部５２には、次ページである第２ページの文書データＸ２が、前記第１ページの画像部Ｘ１２を含む状態でプレビュー表示された画面Ｄ２が表示される。つまり、第１ページの文書データＸ１のプレビュー表示画面上でタッチすることにより選択された画像部Ｘ１２が、「次ページ」キーへのドラッグにより前記画像部Ｘ１２の移動先として選択された第２ページの文書データＸ２中の例えば先頭位置に移動し、この状態で第２ページの文書データＸ２がプレビュー表示される。
【００５２】
この際に、第２ページの文字領域部Ｘ２１のテキストデータが、移動してきた画像部Ｘ１２と重ならないように、ＣＰＵ１１の制御により、第２ページの文字領域部Ｘ２１におけるテキストデータの配列が再構築される。図８の例では、画像部Ｘ１２の側方に位置するテキストデータの一行当たりの文字数は減少し、元の一行からはみ出た文字は順に後方に繰り下げられている。なお、繰り下げられた結果、文字領域部Ｘ２１のテキストデータが第２ページの表示スペースに収まらない場合は、テキストデータの後部を次ページに繰り下げても良い。
【００５３】
また、移動してきた画像部Ｘ１２の配置位置は先頭に限定されることはない。さらに、移動させる画像部Ｘ１２の選択や、移動先のページの選択の仕方は、画像部Ｘ１２をタッチして「次ページ」キーにドラッグさせるものに限定されることはなく、他の設定も可能である。例えば、画像部Ｘ１２をタッチしたのち、ドラッグすることなく「次ページ」キーをタッチすることで移動先を指定しても良い。いずれの場合も、簡単な操作により画像部Ｘ１２を移動先に移動させることができる。また、テンキー等により移動先のページを指定しても良い。
【００５４】
また、１ページの文書データ内に複数個の画像部が存在し、その中から移動させる画像部をユーザが選択しても良い。
【００５５】
画像部Ｘ１２の表示を含む第２ページの文書データＸ２のプレビュー表示画面Ｄ２（図８に示す）において、「終了」キーが押下されると、画像部Ｘ１２は移動元である第１ページの文書データＸ１の元の位置に復帰する。また、第２ページの文書データＸ２はテキストデータの再構築前の状態、換言すれば画像部Ｘ１２が移動してくる前の元の状態に復帰し、この復帰した第２ページの文書データＸ２が、図９の画面Ｄ３に示すようにプレビュー表示される。画面Ｄ３において、「終了」キーが再度押下されると、プレビュー表示は終了する。
【００５６】
このように、この実施形態では、ユーザの操作によって選択された何れかのページの図形や写真等の画像部Ｘ１２を、選択されたページに移動させるとともに移動先のテキストデータの配列を再構築したのち、該ページの文書データＸ２をプレビュー表示できるから、複数ページの文書データのプレビュー画像を切り替えて表示する場合に、他ページの文書データの画像部の図形や写真等を参照するために他ページの文書データをプレビュー表示させ、画像部の確認後に再度元のページの文書データをプレビュー表示させるといった煩雑な操作は不要になる。
【００５７】
図１０は、３ページからなる文書データ（原稿）の各ページの内容を示すものである。
【００５８】
図１０に示す第１ページの文書データＸ１は、テキストデータからなる文字領域部Ｘ１１と画像データのままの画像部Ｘ１２とで構成されており、第２ページ及び第３ページの文書データＸ２、Ｘ３は、テキストデータからなる文字領域部Ｘ２１、Ｘ３１のみによって構成されている。
【００５９】
図１１（Ａ）に示すように、第１ページの文書データＸ１が操作パネル５０の表示部５２にプレビュー表示された表示画面Ｄ４において、矢印で示すように、第１ページの文書データＸ１のうち画像部Ｘ１２をタッチして「次ページ」キーへドラッグすると、前述したように、この画像部Ｘ１２が第２ページの文書データＸ２に移動し、かつ文書データＸ２中のテキストデータの配列が変更され再構築された状態でこの文書データＸ２がプレビュー表示される。
【００６０】
さらに、図１１（Ｂ）に示すように、第２ページに移動表示されている画像部Ｘ１２をタッチして「次ページ」キーへドラッグすると、図示は省略したが、画像部Ｘ１２は第３ページの文書データＸ３に再移動するとともに、再移動した画像部Ｘ１２と第３ページの文字領域部Ｘ３１が重ならないように、文字領域部Ｘ３１におけるテキストデータの配列が再構築された後、文書データＸ３がプレビュー表示される。
【００６１】
このように、第１ページの画像部Ｘ１２を２ページ以上にわたって移動させ、それぞれ移動先のページをプレビュー表示させることができ、極めて便利である。
【００６２】
次に、この発明の他の実施形態を説明する。
【００６３】
上記の実施形態では、１つのページの画像部を移動先のページに移動させて、移動先のページをプレビュー表示した場合を示したが、この実施形態では、１つのページの画像部を、プレビュー表示されるページの切り替えとは無関係に固定的に表示するものである。
【００６４】
第１ページの文書データＸ１がプレビュー表示されている図１２の表示画面Ｄ１において、画像部Ｘ１２をタッチして「固定表示」キーへドラッグする。すると、図１３の画面Ｄ６に示すように、表示部５２の画面の上部に、前記画像部Ｘ１２の専用表示用の上部ウィンドウ（固定表示ウィンドウ）５２ａが形成され、この上部ウィンドウ５２ａに前記タッチアンドドラッグした第１ページの画像部Ｘ１２が表示される。なお、上部ウィンドウ５２ａが形成された分、プレビュー表示用の表示領域として少し縮小された下部ウィンドウ５２ｂが形成され、この下部ウィンドウ５２ｂに第１ページの文書データＸ１が縮小されて表示される。また、第１ページ内の画像部Ｘ１２もそのまま第１ページ内に表示されている。
【００６５】
この状態で、「次ページ」キーが押下されると、図１４の画面Ｄ７に示すように、第２ページの文書データＸ２がプレビュー表示用の下部ウィンドウ５２ｂに切替表示されるが、上部ウィンドウ５２ａに表示された画像部Ｘ１２は、切り替わることなくそのまま表示が維持される。
【００６６】
さらに、「次ページ」キーが押下されると、第３ページがプレビュー表示用の下部ウィンドウ５２ｂに切替表示されるが、上部ウィンドウ５２ａに表示された画像部Ｘ１２は、切り替わることなくそのまま表示が維持される。「終了」キーが押下されると、プレビュー表示は終了し、上部ウィンドウ５２ａの画像部Ｘ１２の表示も終了する。
【００６７】
このように、表示部５２にプレビュー表示された１つのページにおける画像部Ｘ１２が、ユーザの操作に基づいて選択されると、プレビュー表示領域とは異なる上部ウィンドウ５２ａに、各ページ毎のプレビュー表示切り替えに関係なく、前記選択された画像部Ｘ１２が継続して常時表示されるから、複数ページの文書データをページを切り替えてプレビュー表示する場合に、常時表示されている画像部を参照することができ、他ページの画像部の写真等を参照するために他ページの文書データをプレビュー表示させ、画像部の確認後に再度元のページの文書データをプレビュー表示させるといった煩雑な操作は不要になる。
【００６８】
なお、図１４の画面Ｄ７に示すように、上部ウィンドウ５２ａに表示された画像部Ｘ１２の端部にタッチし、矢印で示すように画像中心に対して離間方向あるいは接近方向にドラッグすることで、図１５の画面Ｄ８に示すように、画像部Ｘ１２を拡大あるいは縮小できる構成となされている。
【００６９】
図１６は、文書データのプレビュー表示制御処理を示すフローチャートである。この処理は、ＭＦＰ１のＣＰＵ１１がＲＯＭ等の記録媒体に記録された動作プログラムに従って動作することにより実行される。
【００７０】
ユーザによりプレビュー表示の操作がなされると、ステップＳ１１で、例えば第１ページの文書データＸ１をプレビュー表示する。
【００７１】
次に、ステップＳ１２で、ユーザによって画像部Ｘ１２の選択操作がなされたかどうかを判断する。画像部Ｘ１２の選択操作でなければ（ステップＳ１２でＮＯ）、通常のプレビュー表示制御に従い、ステップＳ３６で、次ページまたは前ページをプレビュー表示するためのページめくり操作（次ページキーまたは前ページキーの押下）がなされたかどうかを判断する。なされていれば（ステップＳ３６でＹＥＳ）、ステップＳ３７で、ページ毎にプレビュー表示を行い、ステップＳ３８に進む。ページめくり操作がなされなければ（ステップＳ３６でＮＯ）、そのままステップＳ３８に進む。
【００７２】
ステップＳ３８では、プレビュー表示の終了操作がなされたかどうかを判断し、なされていなければ（ステップＳ３８でＮＯ）、ステップＳ１２に戻る。プレビュー表示の終了操作がなされていれば（ステップＳ３８でＹＥＳ）、プレビュー表示を終了する。
【００７３】
ステップＳ１２において、画像部Ｘ１２の選択移動操作であれば（ステップＳ１２でＹＥＳ）、ステップＳ１３で、固定表示キーが操作されたかどうかを判断する。
【００７４】
固定表示キーが操作されると（ステップＳ１３でＹＥＳ）、ステップＳ１４で、選択された画像部Ｘ１２を固定表示用の上ウィンドウ５２ａに表示した後、ステップＳ１５で、表示した画像部Ｘ１２の変倍操作がなされたかどうかを判断する。変倍操作がなされていれば（ステップＳ１５でＹＥＳ）、ステップＳ１６で画像部Ｘ１２を変倍して表示し、ステップＳ１７に進む。なお、第１ページの文書データＸ１は下部ウィンドウ５２ｂに表示される。変倍操作がなされていなければ（ステップＳ１５でＮＯ）、そのままステップＳ１７に進む。
【００７５】
ステップＳ１７では、次ページをプレビュー表示するためのページめくり（次ページキーの押下）がなされたかどうかを判断する。なされていれば（ステップＳ１７でＹＥＳ）、ステップＳ１８で、上部ウィンドウ５２ａに画像部Ｘ１２を表示したまま、下部ウィンドウ５２ｂに次ページを表示して、ステップＳ１９に進む。ページめくりがなされていれば（ステップＳ１７でＮＯ）、そのままステップＳ１９に進む。
【００７６】
ステップＳ１９では、プレビュー表示の終了操作がなされたかどうかを判断し、なされていなければ（ステップＳ１９でＮＯ）、ステップＳ１５に戻る。プレビュー表示の終了操作がなされていれば（ステップＳ１９でＹＥＳ）、プレビュー表示を終了する。
【００７７】
一方、ステップＳ１３において、固定表示キーが操作されなければ（ステップＳ１３でＮＯ）、ステップＳ２０で、ユーザにより選択された画像部Ｘ１２を抽出したのち、ステップＳ２１で抽出部をメモリに保存する。次いで、ステップＳ２２で「次ページ」キーが操作されたことを検出し、ステップＳ２３で、表示されているプレビュー画像から、前記抽出された画像部Ｘ１２を切り取る。
【００７８】
次に、ステップＳ２４で、次ページ（この例では第２ページ）のプレビュー表示データの先頭の位置に抽出した画像部Ｘ１２を配置したのち、ステップＳ２５で、ページ内で抽出画像の配置座標位置を決定する。そして、ステップＳ２６で、文字領域部Ｘ２１のテキストデータを画像部Ｘ１２の配置座標位置と重ならないように配列を変更し再構築した後、ステップＳ２７に進む。
【００７９】
ステップＳ２７では、テキストデータがページ内に収まるかどうかを判断し、収まれば（ステップＳ２７でＹＥＳ）、ステップＳ２９に進む。収まらなければ（ステップＳ２７でＮＯ）、ステップＳ２８で、はみ出すテキストデータを次次ページ（この例では第３ページ）に移動した後、ステップＳ２９に進む。
【００８０】
ステップＳ２９では、再構築された次ページの文書データＸ２をプレビュー表示する。次いで、ステップＳ３０で、プレビュー表示されているページの印刷を行うかどうかを、「プリント設定」キーが操作されたかどうかにより判断する。印刷を行うのでなければ（ステップＳ３０でＮＯ）、ステップＳ１２に戻る。印刷を行うのであれば（ステップＳ３０でＹＥＳ）、ステップＳ３１に進む。
【００８１】
ステップＳ３１では、ユーザ操作に基づいて印刷設定を行い、ステップＳ３２で印刷状態をプレビュー表示した後、ステップＳ３３で画像形成部６を介して印刷を行う。
【００８２】
次に、ステップＳ３４で、プレビュー表示の終了操作がなされたかどうかを判断し、なされていなければ（ステップＳ３４でＮＯ）、ステップＳ１２に戻る。プレビュー表示の終了操作がなされていれば（ステップＳ３４でＹＥＳ）、ステップＳ３５で、切り出されて第２ページまたは第３ページ等に移動した画像部Ｘ１２は、元の第１ページの画像部の位置に復帰し、第２ページまたは第３ページ等はテキストデータの再構築前の状態に復帰する。
【００８３】
以上、本発明の一実施形態を説明したが、本発明は上記実施形態に限定されるものではない。
【００８４】
例えば、テキストデータからなる文字領域部と画像データのままの画像部とを備えた文書データＸ１、Ｘ２、Ｘ３を、画像読取部４１により得られた画像データに領域判別、ＯＣＲ処理を施すことにより作成したが、例えばワープロソフトウェアのように、元々テキストデータと画像部とが分離しているものを文書データとして用いても良い。
【００８５】
また、画像読取部４１により得られた画像データではなく、例えば記憶部１５のボックスに記憶されている画像データに領域判別、ＯＣＲ処理を施すことにより、文書データを作成しても良い。
【符号の説明】
【００８６】
１      画像形成装置
２      装置本体
４      スキャナユニット
４１    画像読取部
５      操作パネル
５１    操作部
５２    表示部
６      画像形成部
１１    ＣＰＵ
１２    ＲＯＭ
１５    記憶部
【図１】
0005582151.tif 000002
【図２】
0005582151.tif 000003
【図３】
0005582151.tif 000004
【図４】
0005582151.tif 000005
【図５】
0005582151.tif 000006
【図６】
0005582151.tif 000007
【図７】
0005582151.tif 000008
【図８】
0005582151.tif 000009
【図９】
0005582151.tif 000010
【図１０】
0005582151.tif 000011
【図１１】
0005582151.tif 000012
【図１２】
0005582151.tif 000013
【図１３】
0005582151.tif 000014
【図１４】
0005582151.tif 000015
【図１５】
0005582151.tif 000016
【図１６】
0005582151.tif 000017